【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
ａ）以下の脂肪族または脂環式化合物から選択される少なくとも１つのマーカー：
・イソ酪酸トリシクロデセニル（３ａ，４，５，６，７，７ａ−ヘキサヒドロ−４，７−メタノ−１ｈ−インデン−５（または６）−イル  イソブチレート）（ＣＡＳ６７６３４−２０−２）
・プロピオン酸トリシクロデセニル（ＣＡＳ１７５１１−６０−３）
・酢酸ｃｉｓ−３−ヘキセニル（ＣＡＳ３６８１−７１−８）
・エチルリナロオール（ＣＡＳ１０３３９−５５−６）
・酢酸プレニル（ＣＡＳ１１９１−１６−８）
・ミリスチン酸エチル（ＣＡＳ１２４−０６−１）
・酢酸パラ−ｔｅｒｔ−ブチルシクロヘキシル（ＣＡＳ３２２１０−２３−４）
・酢酸ブチル（ＣＡＳ１２３−８６−４）
・酢酸トリシクロデセニル（４，７−メタノ−１ｈ−インデン−６−オール，３ａ，４，５，６，７，７ａ−ヘキサヒドロ−,  アセテート）（ＣＡＳ５４１３−６０−５）
・カプリン酸エチル（ＣＡＳ１１０−３８−３）
ｂ）溶媒または溶媒の混合物、
ｃ）ならびに必要に応じて、洗浄剤、分散剤、燃焼改良剤、消泡剤、伝導性改良剤、防食添加剤、潤滑添加剤、摩耗防止剤および／または摩耗調整剤、金属のキレート剤および／または封鎖剤、解乳化剤、染料、低温挙動添加剤、金属不動態化剤、酸中和剤、マーカーａ）とは異なるマーカーから選択される、内燃機関燃料用および／または他の液体炭化水素燃料用の１つ以上の機能性添加剤
を含む液体組成物。
【請求項２】
請求項１に記載の液体組成物の少なくとも１つの、それが組み込まれる内燃機関燃料および他の液体炭化水素燃料から選択される燃料をマーキングするための使用。
【請求項３】
少なくとも１つのマーカーａ）を含む、内燃機関燃料および他の液体炭化水素燃料から選択される燃料。
【請求項４】
少なくとも１つのマーカーａ）を、請求項１に定義した組成物の少なくとも１つを介して含む、請求項３に記載の燃料。
【請求項５】
以下のステップを含む、内燃機関燃料または他の液体炭化水素燃料における請求項１に定義した少なくとも１つのマーカーａ）の定性的検出のためのプロセス：
・所定の分析方法を用いる少なくとも１つのマーカーａ）を含有する内燃機関燃料または他の液体燃料の試料の分析、
・次に、１つ以上のマーカーａ）の検出。
【請求項６】
請求項５に記載のプロセスであって、前記分析方法がガスクロマトグラフィである、プロセス。
【請求項７】
請求項６に記載のプロセスであって、前記ガスクロマトグラフィが、多次元ガスクロマトグラフィである、プロセス。
【請求項８】
請求項５から７のいずれか一項に記載のプロセスであって、１つ以上のマーカーａ）の検出を、質量分析によって行う、プロセス。
【請求項９】
請求項５から８のいずれか一項に記載のプロセスにおいて、内燃機関燃料または他の液体炭化水素燃料内に検出された個々のマーカーａ）の濃度を測定する後続ステップを含む、定性的および定量的検出のためのプロセス。
【請求項１０】
請求項９に記載のプロセスであって、内燃機関燃料または他の液体炭化水素燃料内に検出された個々のマーカーａ）の濃度を測定する前記後続ステップを、ガスクロマトグラフィと連動させた質量分析によって行う、プロセス。
【請求項１１】
請求項９または１０において、以下のステップを含む、質量分析計と組み合わせた多次元クロマトグラフィによる少なくとも１つのマーカーａ）の定性的および場合によっては定量的検出のためのプロセス：
１）１つ以上のマーカーａ）を含有する液体炭化水素組成物を含む液体混合物の、第１クロマトグラフィカラムへの注入；
２）１つまたは複数のマーカーａ）と混合物に含有されている他の任意の化合物との分離；
３）マーカーａ）を含む全ての化合物の完全な分離を保証するための第２クロマトグラフィカラムへの分画の注入；
４）次に、各化合物（それゆえに各マーカーａ））を特異的に同定し、場合によっては定量することを可能にする質量分析計の通過。
【請求項１２】
以下のステップを含む、内燃機関燃料または他の液体炭化水素燃料における請求項１に定義したマーカーの少なくとも１つの定量的検出のプロセス：
・所定の分析方法を用いる、少なくとも１つのマーカーａ）を含有する内燃機関燃料または他の燃料液体の試料の分析、
・次に、１つまたは複数のマーカーａ）の検出、
・および、内燃機関燃料または他の液体炭化水素燃料内に検出された個々のマーカーａ）の濃度の測定。
【請求項１３】
請求項１２に記載のプロセスであって、前記分析方法がガスクロマトグラフィである、プロセス。
【請求項１４】
請求項１３に記載のプロセスであって、前記ガスクロマトグラフィが、多次元ガスクロマトグラフィである、プロセス。
【請求項１５】
請求項１２から１４のいずれか一項に記載のプロセスであって、内燃機関燃料または他の液体炭化水素燃料内に検出された個々のマーカーａ）の濃度の測定を、ガスクロマトグラフィと組み合わせた質量分析によって行う、プロセス。
【手続補正２】
【補正対象書類名】明細書
【補正対象項目名】００４５
【補正方法】変更
【補正の内容】
【００４５】
分析は一定温度で行うことができ、この温度は１０℃と３００℃との間で変動することができる。分析は、温度プログラミングを使って行うこともできる。その場合、温度プログラムは、ガソリン、軽油など、分析対象試料の各タイプごとに開発されるであろう。
なお、本発明は、実施態様として以下の内容を含んでいてもよい。
［実施態様１］
ａ）以下の脂肪族または脂環式化合物から選択される少なくとも１つのマーカー：
・イソ酪酸トリシクロデセニル（３ａ，４，５，６，７，７ａ−ヘキサヒドロ−４，７−メタノ−１ｈ−インデン−５（または６）−イル  イソブチレート）（ＣＡＳ６７６３４−２０−２）
・プロピオン酸トリシクロデセニル（ＣＡＳ１７５１１−６０−３）
・酢酸ｃｉｓ−３−ヘキセニル（ＣＡＳ３６８１−７１−８）
・エチルリナロオール（ＣＡＳ１０３３９−５５−６）
・酢酸プレニル（ＣＡＳ１１９１−１６−８）
・ミリスチン酸エチル（ＣＡＳ１２４−０６−１）
・酢酸パラ−ｔｅｒｔ−ブチルシクロヘキシル（ＣＡＳ３２２１０−２３−４）
・酢酸ブチル（ＣＡＳ１２３−８６−４）
・酢酸トリシクロデセニル（４，７−メタノ−１ｈ−インデン−６−オール，３ａ，４，５，６，７，７ａ−ヘキサヒドロ−,  アセテート）（ＣＡＳ５４１３−６０−５）
・カプリン酸エチル（ＣＡＳ１１０−３８−３）
ｂ）溶媒または溶媒の混合物、
ｃ）ならびに必要に応じて、洗浄剤、分散剤、燃焼改良剤、消泡剤、伝導性改良剤、防食添加剤、潤滑添加剤、摩耗防止剤および／または摩耗調整剤、金属のキレート剤および／または封鎖剤、解乳化剤、染料、低温挙動添加剤、金属不動態化剤、酸中和剤、マーカーａ）とは異なるマーカー（など）から選択される、内燃機関燃料用および／または液体炭化水素燃料用の１つ以上の機能性添加剤
を含む液体組成物。
［実施態様２］
実施態様１に記載の液体組成物の少なくとも１つの、それが組み込まれる内燃機関燃料および他の液体炭化水素燃料をマーキングするための使用。
［実施態様３］
少なくとも１つのマーカーａ）を、好ましくは実施態様１に定義した組成物の少なくとも１つを介して含む、内燃機関燃料および液体炭化水素燃料。
［実施態様４］
以下のステップを含む、内燃機関燃料または他の液体炭化水素燃料における実施態様１に定義した少なくとも１つのマーカーａ）の定性的検出のためのプロセス：
・（好ましくは）ガスクロマトグラフィ、（有利には多次元ガスクロマトグラフィ）による、分析方法を用いる、少なくとも１つのマーカーａ）を含有する内燃機関燃料または他の液体燃料の試料の分析、
・次に、１つ以上のマーカーａ）の、（好ましくは）質量分析による検出。
［実施態様５］
実施態様４において、内燃機関燃料または他の液体炭化水素燃料内に検出された個々のマーカーａ）の濃度を、（好ましくは）ガスクロマトグラフィと連動させた質量分析によって測定する後続ステップを含む、定性的および定量的検出のためのプロセス。
［実施態様６］
以下のステップを含む、内燃機関燃料または他の液体炭化水素燃料における実施態様１に定義したマーカーの少なくとも１つの定量的検出のプロセス：
・（好ましくは）ガスクロマトグラフィ、（有利には多次元ガスクロマトグラフィ）による分析方法を用いる、少なくとも１つのマーカーａ）を含有する内燃機関燃料または他の燃料液体の試料の分析、
・次に、１つまたは複数のマーカーａ）の検出、
・および、内燃機関燃料または他の液体炭化水素燃料内に検出された個々のマーカーａ）の濃度の、（好ましくは）ガスクロマトグラフィと組み合わせた質量分析による測定。
［実施態様７］ 
実施態様５において、以下のステップを含む、質量分析計と組み合わせた多次元クロマトグラフィによる少なくとも１つのマーカーａ）の定性的および場合によっては定量的検出のためのプロセス：
１）１つ以上のマーカーａ）を含有する液体炭化水素組成物を含む液体混合物の、第１クロマトグラフィカラムへの注入；
２）１つまたは複数のマーカーａ）と混合物に含有されている他の任意の化合物との分離；
３）マーカーａ）を含む全ての化合物の完全な分離を保証するための第２クロマトグラフィカラムへの分画の注入；
４）次に、各化合物（それゆえに各マーカーａ））を特異的に同定し、場合によっては定量することを可能にする質量分析計の通過。